(57)【特許請求の範囲】
【請求項１】
呼設定情報に付加された発側電話機からの機能設定要求を受信する機能設定要求受信手段と、
該機能設定要求受信手段にて受信された該機能設定要求に従って設定内容を変更しうる設定内容変更手段とをそなえるとともに、
該機能設定要求を受け入れない場合に、該機能設定要求に従った該設定内容変更手段による設定内容の変更を拒否しうる制御手段をそなえ、さらに、
該制御手段が、
該機能設定要求が複数の要求を含んでいる場合に、前記複数の要求を受け入れるかどうかを判定する複数の部分判定手段をそなえ、
前記複数の部分判定手段の判定結果に基づいて、前記複数の要求のそれぞれについて当該要求を受け入れない場合には、当該要求に従った該設定内容変更手段による該当する設定内容の変更を拒否しうるように構成されたことを特徴とする、設定内容可変型電話機。
【請求項２】
該制御手段が、特定情報を有する電話機からの機能設定要求である場合に、該機能設定要求を受け入れるように構成されていることを特徴とする、請求項１記載の設定内容可変型電話機。
【請求項３】
該制御手段が、特定情報として特定の電話番号を有する電話機からの機能設定要求である場合に、該機能設定要求を受け入れるように構成されていることを特徴とする、請求項２記載の設定内容可変型電話機。
【請求項４】
該制御手段が、特定情報として特定の識別情報を有する電話機からの機能設定要求である場合に、該機能設定要求を受け入れるように構成されていることを特徴とする、請求項２記載の設定内容可変型電話機。
【請求項５】
該制御手段が、特定情報として電話機に当初から付与された特定の識別情報を有する電話機からの機能設定要求である場合に、該機能設定要求を受け入れるように構成されていることを特徴とする、請求項２記載の設定内容可変型電話機。
【請求項６】
該機能設定要求を受け入れるかどうかについての判定基準情報を外部入力手段を用いて設定する判定基準設定手段をそなえて構成されたことを特徴とする、請求項１記載の設定内容可変型電話機。
【発明の詳細な説明】
【０００１】
（目次）
発明の属する技術分野
従来の技術
発明が解決しようとする課題
課題を解決するための手段
発明の実施の形態（図１〜図１８）
発明の効果
【０００２】
【産業上の利用分野】
本発明は、発側電話機からの要求を網を介して着側電話機へ伝えることにより、着側電話機の設定内容を変更しうる通信ネットワークに使用される設定内容可変型電話機に関する。
【０００３】
【従来の技術】
次世代のネットワークとして、実用に供されているＩＳＤＮ（Integrated Service Digital Network) 網は、アナログ網と比べて、高速、高品質そして低額な通信料金を可能とするものとして、様々な分野に利用されているが、このＩＳＤＮ網は、多くの端末を収容しているため、その規則において、保守管理及び網を運営していく上で、各端末の正常性を確認するための試験項目が用意されている。そして、各端末は、これらの項目を試験できるような多数の機能を有している。これから、ＩＳＤＮ網に収容されている各端末の試験を行なうに際し、保守員がわざわざ各端末を検査しに出向くことなく、保守センタ等から遠隔的に保守用の信号を配信することによって、検査できるようなっている。
【０００４】
この遠隔操作に関する技術は、特開平5-175920号公報に開示されている。この特開平5-175920号公報には、ＩＳＤＮ網で提供されている『ユーザ間情報通知』機能を用いて遠隔から集中的にＩＳＤＮ端末の保守を行なうために、ＩＳＤＮ端末システムにおける遠隔保守方式に関する技術が開示されている。そして、この特開平5-175920号公報に記載されている技術内容は、ＩＳＤＮ端末システムにおける遠隔保守方式に関するものであって、不特定多数の端末と接続を行なうことのできる回線交換であっても、データ通信を中断することなく、また、データ通信に対する運用上の制限を課すことなく遠隔保守を行なえるようにしたものである。そのため、ユーザ情報チャネル（Ｂチャネル）にて、データ通信が行なわれるのと並行して、信号チャネル（Ｄチャネル）で、呼設定情報（呼設定メッセージ）中のユーザユーザ情報を用いた保守情報の送受により保守作業が行なわれるようになっている。
【０００５】
従って、ＩＳＤＮ網を介して、発信者は、発側電話機により呼設定情報内のユーザユーザ情報要素に、変更内容を示す要求情報を含めて送信することによって、受信者である相手電話機の設定を、その要求に従って自動的に変更することが可能となる。例えば電話をかけた際に、相手電話機のベルを何度鳴らしても、相手が応答しないような場合に、その相手電話機の着信ベル音量を大きくしたり、バイブレータをオンにしたりすることが可能となる。
【０００６】
【発明が解決しようとする課題】
しかしながら、変更要求を受ける着信側から見ると、無断で自分の電話機の設定を変更されると困るという課題がある。例えば、会議中の部屋等、大きな着信音が鳴り響くのが相応しくない場所では、無断で着信音を大きくされると、着信電話機の使用者にとっては大変不都合であり、また、自分が設定した内容が勝手に変更されてしまっては、非常に使いずらい。
【０００７】
本発明は、このような課題に鑑み創案されたもので、着側電話機使用者が、着側電話機の呼び出し音やバイブレータのオン／オフ等の設定内容の変更に関して、発信電話機側から制御を受けることを、許諾するのか或いは拒否するのかを選択できるようにして、不都合な設定変更を回避できるようにするとともに、不都合でない設定変更を可能にした、設定内容可変型電話機を提供することを目的とする。
【０００８】
【課題を解決するための手段】
このため、本発明の設定内容可変型電話機は、呼設定情報に付加された発側電話機からの機能設定要求を受信する機能設定要求受信手段と、この機能設定要求受信手段にて受信された機能設定要求に従って設定内容を変更しうる設定内容変更手段とをそなえるとともに、この機能設定要求を受け入れない場合に、その機能設定要求に従った設定内容変更手段による設定内容の変更を拒否しうる制御手段をそなえ、さらに、この制御手段が、前記機能設定要求が複数の要求を含んでいる場合に、前記複数の要求を受け入れるかどうかを判定する複数の部分判定手段をそなえ、前記複数の部分判定手段の判定結果に基づいて、前記複数の要求のそれぞれについて当該要求を受け入れない場合には、当該要求に従った前記設定内容変更手段による該当する設定内容の変更を拒否しうるように構成されたことを特徴としている。
【０００９】
また、制御手段は、特定情報を有する電話機からの機能設定要求である場合に、機能設定要求を受け入れるように構成することができる。
そして、この制御手段は、特定情報として特定の電話番号を有する電話機からの機能設定要求である場合に、その機能設定要求を受け入れるように構成されてもよく、或いは、特定情報として特定の識別情報を有する電話機からの機能設定要求である場合に、その機能設定要求を受け入れるように構成されてもよく、また或いは、特定情報として電話機に当初から付与された特定の識別情報を有する電話機からの機能設定要求である場合に、その機能設定要求を受け入れるように構成されてもよい。
【００１０】
また、機能設定要求を受け入れるかどうかについての判定基準情報を外部入力手段を用いて設定する判定基準設定手段をそなえて構成することもできる。
【００１１】
加えて、本発明に関連する技術の着側電話機の設定内容変更が可能な電話機は、着側電話機の設定内容を変更するための、複数の要求を含む機能設定要求であって、前記着側電話機で当該複数の要求のそれぞれの判定結果に基づいて当該複数の要求のそれぞれに従った前記設定内容を変更するための機能設定要求を呼設定情報に付加する機能設定要求付加手段と、この機能設定要求付加手段による機能設定要求の付加時に、機能設定要求に基づいた着側電話機の設定内容の変更を許容しうる特定情報を呼設定情報に付加する特定情報付加手段とをそなえて構成されたことを特徴としている。
【００１２】
【発明の実施の形態】
以下、図面を参照して本発明の実施の形態を説明する。
（Ａ）本発明の第１実施形態の説明
図１は、本発明及び本発明に関連する技術を適用される、設定内容可変型電話機及び着側電話機の設定内容変更が可能な電話機を収容したＩＳＤＮシステムの模式図である。この図１に示すように、このモデルは、携帯電話機１ａ，１ｂと、無線基地局５０ａ，５０ｂと、ＩＳＤＮ網５１等を有し、携帯電話機１ａ，１ｂはそれぞれ、無線基地局５０ａ，５０ｂを介してＩＳＤＮ網５１に接続されるようになっていて、また、固定電話機４０ａ，４０ｂもそれぞれ、ＩＳＤＮ網５１に接続されている。
【００１３】
ここで、携帯電話機１ａ，１ｂ及び固定電話機４０ａ，４０ｂはそれぞれ、本発明及び本発明に関連する技術を適用される、設定内容可変型電話機又は着側電話機の設定内容変更が可能な電話機であり、無線基地局５０ａ，５０ｂはそれぞれ、無線信号を受信し、処理して、呼信号をＩＳＤＮ網５１に送出するとともに、このＩＳＤＮ網５１から送出されてくる呼信号を処理して無線信号に変換して送信するものである。そして、携帯電話機１ａと携帯電話機１ｂとの間で通信を行なう場合は、発信者が、例えば携帯電話機１ａを用いて発呼すると、その無線信号が無線基地局５０ａによって受信・処理されて、ＩＳＤＮ網５１を介して、無線基地局５０ｂから無線送出される。着信者は、携帯電話機１ｂにより、その無線信号を受信して電話通信が行なわれる。
【００１４】
以下の説明においては、発側電話機は、携帯電話機１ａとし、着側電話機は、携帯電話機１ｂとするが、発側電話機及び着側電話機はそれぞれ、この図１に示すような固定電話機４０ａ又は４０ｂのいずれであってもよい。固定電話機４０ａ，４０ｂが、携帯電話機１ａ，１ｂへ発呼したり、固定電話機４０ａから固定電話機４０ｂに発呼したり、また、携帯電話機１ａ，１ｂから固定電話機４０ａ，４０ｂに発呼するような態様にて実施することも可能である。
【００１５】
そして、携帯電話機１ａから携帯電話機１ｂを呼び出す場合、ユーザ情報チャネル（Ｂチャネル又は無線区間での相当するチャネル）にて音声通信が行なわれるのに先立って、信号チャネル（Ｄチャネル又は無線区間での相当するチャネル）にて、携帯電話機１ａ，１ｂとＩＳＤＮ網５１との間で、チャネル割当等のプロトコルにしたがったシーケンシャルな信号のやり取りが行なわれる。ここで、発信者は、ＩＳＤＮ網５１を介して、呼設定メッセージ内に、着側電話機の設定変更内容を示す情報を含めて送信することができる。
【００１６】
すなわち、このシーケンスとは次のようになる。まず、携帯電話機１ａからＩＳＤＮ網５１へ呼設定(SETUP) メッセージが出されると、ＩＳＤＮ網５１から携帯電話機１ａへ呼設定受付(CALL PROC) が返送されるとともに、ＩＳＤＮ網５１から携帯電話機１ｂへ呼設定メッセージが出される。そして、携帯電話機１ｂが、呼を受け付ける（応答する）場合は、携帯電話機１ｂからＩＳＤＮ網５１へ応答(CONN)メッセージが出され、これに対して、ＩＳＤＮ網５１から携帯電話機１ａへ応答メッセージが返送されるとともに、ＩＳＤＮ網５１から携帯電話機１ｂへ応答確認(CONN ACK)メッセージが出され、ここで、携帯電話機１ａを持つ発信者と携帯電話機１ｂを持つ着信者との間で電話通信が開始されるのである。
【００１７】
従って、このシーケンスにおいて、発信者は、ＩＳＤＮ網５１を介して、呼設定メッセージ内に、着側電話機の設定変更内容を示す情報を含めて送信することにより、相手電話機の設定を変更することができるのである。
図２に本発明に関連する技術の一実施形態にかかる発側電話機（着側電話機の設定内容変更が可能な電話機）の機能ブロック図を示す。この図２に示す、発側電話機（携帯電話機１ａ）は、着側電話機の設定内容の変更が可能な電話機であり、機能設定要求付加手段４１と、特定情報付加手段４２と、無線送信手段４３と、送信アンテナ４４とをそなえて構成されている。
【００１８】
ここで、機能設定要求付加手段４１は、着側電話機の設定内容を変更するための機能設定要求を呼設定メッセージに付加するものであり、発信者の要求に応じて携帯電話機１ｂの着信音を大きくしたり、バイブレータ設定をオン／オフにする等の機能設定要求の情報を、送信する呼設定メッセージ内の特定の領域に付加挿入を行なう。またこれは、発信者がこの携帯電話機１ａの表示ディスプレイのメニューにしたがって、テンキー（プッシュボタン）等を操作することにより行なわれ、このテンキー等からの操作内容は、ＣＰＵ（この図２では省略）によって読み込まれ、ＣＰＵ，ＲＯＭ，ＲＡＭ等（この図２では省略）が協働することで、この機能設定要求付加機能が発揮される。
【００１９】
そして、特定情報付加手段４２は、この機能設定要求付加手段４１による機能設定要求の付加時に、機能設定要求に基づいた着側電話機の設定内容の変更を許容しうる特定情報を呼設定メッセージに付加するものであり、着側電話機に自分の特定情報を識別させるよう、送信する呼設定メッセージ内の特定の領域に特定情報を表すビットの付加挿入を行なう。またこれも、発信者がこの携帯電話機１ａの表示ディスプレイのメニューにしたがって、テンキー等を操作することにより行なわれ、このテンキー等からの操作内容は、ＣＰＵ（この図２では省略）によって読み込まれ、ＣＰＵ，ＲＯＭ，ＲＡＭ等（この図２では省略）が協働することで、この特定情報付加機能が発揮される。
【００２０】
この特定情報とは、発側電話機の電話番号（以下の説明で発番号と称することがある）やその電話機の固有識別情報（ＩＤ情報）等である。着側電話機は、この特定の電話番号やＩＤ等を有する発側電話機のみに、機能設定を許諾する。着側電話機は、この特定情報を解析して、これが予め記憶しておいた電話番号やＩＤ等と一致するならば、発信者の設定内容変更を許諾し、一致しなければ、拒否するようにする。なお、この特定情報や設定の詳細に関しては、後述する。
【００２１】
また、無線送信手段４３は、呼設定メッセージが入ったデータを無線信号に変換して送信するもので、送信アンテナ４４は、無線信号を無線伝搬路に送出するものである。
これにより、発信者が着側の携帯電話機１ｂの着信音を大にする場合、発信者は、携帯電話機１ａの表示ディスプレイのメニューにしたがって、テンキー等を操作して、着信音を大にするという設定を行なう。すると、機能設定要求付加手段４１は、まず機能設定要求有りを表すビット（呼設定メッセージ内の特定の領域）をオンにして、その具体的内容である着信音大を表すビットをもオンにし、特定情報付加手段４２は、携帯電話機１ａの電話番号やＩＤ等を呼設定メッセージ内に付加する。そして、無線送信手段４３において、これらの情報が入った呼設定メッセージが無線信号に変換されて、送信アンテナ４４から、この無線信号が無線伝播路に送出され、図１に示す無線基地局５０ａにて受信・処理されて、ＩＳＤＮ網５１を介して、無線基地局５０ｂから無線送出される。そして、着信者は、携帯電話機１ｂにより、その無線信号を受信して通信が行なわれる。
【００２２】
図３は本発明の一実施形態にかかる着側電話機（設定内容が可変な電話機）の機能ブロック図であるが、この図３に示す設定内容可変型電話機（携帯電話機１ｂ）は、受信アンテナ２と、無線受信手段３と、機能設定要求受信手段４と、記憶手段８と、表示操作手段９と、設定内容変更手段７と、制御手段１０とをそなえて構成されている。
【００２３】
ここで、受信アンテナ２は、無線信号を受信するアンテナであり、無線受信手段３は、受信された無線信号を復調するものであり、機能設定要求受信手段４は、呼設定メッセージに付加された発側の携帯電話機１ａからの機能設定要求を受信するものである。
この機能設定要求とは、前述したように、携帯電話機１ｂの着信音を大きくしたり、バイブレータ設定をオン／オフにする等の情報であるが、具体的には、発信者から送信される呼設定メッセージ内のユーザユーザ情報要素の一つを表す。図６（ａ）に呼設定メッセージのフォーマットを示すが、この図６（ａ）に示す呼設定メッセージ（呼設定情報）３０〔以下、受信呼設定メッセージを特に呼設定メッセージ３０と称する〕は、通信チャネルを開設するために着側電話機に最初に送信されるメッセージであって、プロトコル識別子，付加サービス識別子及び呼番号，メッセージ種別，伝達能力，発番号，ユーザユーザ情報からなる領域を有している。これらの領域の意味の概略は、次のようになる。すなわち、プロトコル識別子は、レイヤ３の呼制御(CC)を表し、付加サービス識別子及び呼番号は、オプションの有無を表すとともに対応する呼番号を格納し、メッセージ種別は、呼設定(SETUP) を表している。また、伝達能力は、音声情報であることを表し、発番号は、相手電話番号を表し、ユーザユーザ情報は、設定変更要求情報を表している。また、この中の領域３０ａに入るユーザユーザ情報のフォーマットを、図６（ｂ）に示す。この図６（ｂ）に示すように、このユーザユーザ情報領域は、オクテット１からオクテット５までの領域にその要素を格納している。
【００２４】
ここで、各オクテットに格納される情報を説明すると次のようになる。すなわち、オクテット１には、受信したメッセージがユーザユーザ情報であることを表す情報要素識別子が格納され、オクテット２には、情報要素長が格納され、この情報要素長は図６（ｂ）のオクテット３〜５までの情報バイト数が３バイト（０３ｈのｈは１６進を表す）であることを表す。また、オクテット３には、設定変更要求が格納され、発信者からの何らかの設定要求の有無を表し、『有り』だと00000010[bin] となり、『無し』だと00000000[bin] となる（ここで、bin は２進表現[binary]を表す。以下同じ）。図６（ｂ）には、これらの下位２ビットのみが記載されている。さらに、オクテット４には、着信音設定要求及びバイブレータ設定要求の有無を表すビットが格納される。着信音設定要求に関しては、このオクテット４のLSB から２番目のビットで設定され、『有り』だと0000001X[bin] となり、『無し』だと0000000X[bin] となる（ここでＸはDon't careを表す。以下同じ）。バイブレータ設定要求に関しては、このオクテット４のLSB ビットで設定され、『有り』だと000000X1[bin] となり、『無し』だと000000X0[bin] となる。さらにオクテット５には、オクテット４で、着信音設定要求又はバイブレータ設定要求があった場合に、それらの要求が、着信音のオン／オフなのか、バイブレータのオン／オフなのかを表すビットが格納される。着信音の設定については、オンで0000001X[bin] となり、オフで0000000X[bin] となり、バイブレータの設定については、オンで000000X1[bin] となり、オフで000000X0[bin] となる。
【００２５】
そして、着側の携帯電話機１ｂの機能設定要求受信手段４は、受信した呼設定メッセージ３０の中からユーザユーザ情報領域３０ａを検索し、このオクテット３にある、領域を検査し、これが設定変更要求が有(00000010[bin]) か無(00000000[bin]）かを見て、その結果を出力する。
図３に戻って、記憶手段８は、データの読出・書込をするもので、表示操作手段９は、設定内容等を使用者に表示するとともに、使用者からの入力操作を受け付けるものであり、また、設定内容変更手段７は、機能設定要求受信手段４にて受信された機能設定要求に従って設定内容を変更しうるものであり、記憶手段８の内容を書き換えることができる。
【００２６】
さらに、制御手段１０は、少なくとも、機能設定要求を受け入れない場合に、その機能設定要求に従った設定内容変更手段７による設定内容の変更を拒否しうるものであって、判定手段５と、指令手段６とをそなえて構成されている。
すなわち、この判定手段５は、上記の機能設定要求受信手段４にて受信された機能設定要求を受け入れるかどうかを判定するものであり、複数の機能設定要求に対応して、部分判定手段５−１〜５−ｎをそなえて構成されている。そして、機能設定要求受信手段４にて受信された設定変更要求が有(00000010[bin]) の場合に、その機能設定要求を受け入れるかどうかの判定を行なう。この判定の条件は、設定変更要求が有(00000010[bin]) でかつ予め使用者が変更を許諾する操作をしてある場合に限って設定変更を行なうこととし、それ以外の場合は設定変更を行なわないようにしている。
【００２７】
そして、指令手段６は、判定手段５で機能設定要求を受け入れると判定した場合には、その機能設定要求に従った設定内容変更手段７による設定内容の変更を許容する一方、判定手段５で機能設定要求を受け入れないと判定した場合には、機能設定要求に従った設定内容変更手段７による設定内容の変更を拒否しうるものである。
【００２８】
なお、機能設定要求が複数の要求を含んでいる場合に、少なくとも、上記の制御手段１０が、その複数の機能設定要求のそれぞれについて機能設定要求を受け入れない場合には、当該機能設定要求に従った設定内容変更手段７による該当する設定内容の変更を拒否しうるように構成されている。すなわち、上記の判定手段５が、各機能設定要求毎にそれぞれの機能設定要求を受け入れるかどうかを判定するように、部分判定手段５−１〜５−ｎをそなえて構成されるとともに、指令手段６が、この判定手段５で該当する機能設定要求を受け入れると判定した場合には、当該機能設定要求に従った設定内容変更手段７による該当する設定内容の変更を許容する一方、判定手段５で該当する機能設定要求を受け入れないと判定した場合には、当該機能設定要求に従った設定内容変更手段７による該当する設定内容の変更を拒否しうるように構成されている。
【００２９】
次に、図４に本発明の一実施形態にかかる発側携帯電話機のブロック構成図を、また、図５に本発明の一実施形態にかかる着側携帯電話機のブロック構成図をそれぞれ示す。
この図４は、図２に示した発側電話機（着側電話機の設定内容変更が可能な電話機１ａ）を詳細に表したものであって、表示操作部６４と、機能設定要求付加部（機能設定要求付加手段）６０と、特定情報要求付加部（特定情報要求付加手段）６１と、無線送信部（無線送信手段）６２と、送信アンテナ６３とをそなえるとともに、ハードウェアとして、ＣＰＵ７１，ＲＯＭ７２，メモリ（ＲＡＭ）７７，マイク７０，スピーカ７５，リンガ（鳴動部）７３，バイブレータ（振動部）７４，ディスプレイ６４ａ，テンキー（プッシュボタン）６４ｂ，スイッチ６４ｃ等を有する。なお、これらの各ハードウェアが有する機能は、公知内容であるので、その詳細な説明は省略する。
【００３０】
ここで、表示操作部６４は、使用者へ入力操作を促すメニューを表示するとともに、使用者から入力される設定情報を受け付けるものであり、これらの機能はディスプレイ６４ａ（以下、表示ディスプレイ６４ａと称することがある），テンキー６４ｂ，スイッチ６４ｃ等によって発揮される。
また、機能設定要求付加部６０は、上記の機能設定要求付加手段４１に対応して、着側電話機（携帯電話機１ｂ）の設定内容を変更するための機能設定要求を呼設定メッセージに付加するものであり、発信者の要求に応じて携帯電話機１ｂの着信音を大きくしたり、バイブレータ設定をオン／オフにする等の機能設定要求の情報を、送信する呼設定メッセージ内の特定の領域に付加挿入を行なう。またこれは、発信者がこの携帯電話機１ａの表示ディスプレイ６４ａのメニューにしたがって、テンキー６４ｂ，スイッチ６４ｃ等を操作することにより行なわれ、これらのテンキー６４ｂ，スイッチ６４ｃ等からの操作内容は、ＣＰＵ７１によって読み込まれ、ＣＰＵ７１，ＲＯＭ７２，ＲＡＭ７７等が協働することで、この機能が発揮される。
【００３１】
そして、特定情報付加部６１は、上記の特定情報付加手段４２に対応して、機能設定要求付加部６０による機能設定要求の付加時に、機能設定要求に基づいた着側電話機の設定内容の変更を許容しうる特定情報を呼設定メッセージに付加するものであり、着側電話機に自分の特定情報を識別させるよう、送信する呼設定メッセージ内の特定の領域に特定情報を表すビットの付加挿入を行なう。またこれも、発信者がこの携帯電話機１ａの表示ディスプレイ６４ａのメニューにしたがって、テンキー６４ｂ，スイッチ６４ｃ等を操作することにより行なわれ、このテンキー６４ｂ等からの操作内容は、ＣＰＵ７１によって読み込まれ、ＣＰＵ７１，ＲＯＭ７２，ＲＡＭ７７等が協働することで、この機能が発揮される。なお、この特定情報とは、発側電話機の電話番号やその電話機の固有識別情報（ＩＤ情報）等であり、その詳細は後述する。
【００３２】
さらに、無線送信部６２は、上記の無線送信手段４３に対応して、呼設定メッセージが入ったデータを無線信号に変換して送信するものであり、送信アンテナ６３は、無線信号を無線伝搬路に送出するものである。
これにより、発信者は、携帯電話機１ａの表示ディスプレイ６４ａのメニューにしたがって、テンキー６４ｂ，スイッチ６４ｃ等を操作して、着信音を大にしたり、バイブレータをオン／オフしたりする設定を行なう。すると、機能設定要求付加部６０は、まず機能設定要求有りを表すビット（呼設定メッセージ内の特定の領域）をオンにして、その具体的内容である着信音大を表すビットをもオンにし、特定情報付加部６１は、携帯電話機１ａの電話番号やＩＤ等を呼設定メッセージ内に付加する。そして、無線送信部６２において、これらの情報が入った呼設定メッセージが無線信号に変換されて、送信アンテナ６３から、この無線信号が無線伝播路に送出され、図１に示す無線基地局５０ａにて受信・処理されて、ＩＳＤＮ網５１を介して、無線基地局５０ｂから無線送出される。そして、着信者は、携帯電話機１ｂにより、その無線信号を受信して通信が行なわれる。
【００３３】
一方、図５は、図３に示した設定内容可変型電話機（携帯電話機１ｂ）を詳細に表したものであって、受信アンテナ２と、無線受信部（無線受信手段）１３と、メッセージ処理部２６と、設定変更諾否記憶部（記憶手段）１８と、表示操作部（表示操作手段）１９とをそなえるとともに、ハードウェアとして、メモリ（ＲＡＭ）１８ａ，ＣＰＵ２１，ＲＯＭ２２，マイク２０，スピーカ２５，リンガ（鳴動部）２３，バイブレータ（振動部）２４，ディスプレイ１９ａ，テンキー１９ｂ，スイッチ１９ｃ等を有する。そして、メモリ書き込み手段（外部入力手段）２７が、この携帯電話機１ｂに接続されている。なお、これらの各ハードウェアが有する機能は、公知内容であるので、その詳細な説明は省略する。
【００３４】
ここで、無線受信部１３は、上記の無線受信手段３に対応して、ＩＳＤＮ網５１から無線基地局５０ｂを介して送信される無線信号を受信アンテナ２にて受信し、制御信号や音声データ等の復調を行なうもので、既知の携帯電話と同様な電子回路からなる。なお、これら無線部分のものに関する詳細な説明は省略する。そして、メッセージ処理部２６は、発側電話機との通話を開始・終了させるためにＩＳＤＮ網５１から送信される呼設定等のメッセージの制御信号を解析し、通話の開始・終了のために必要な指示をこの携帯電話機１ｂの各部に出して、適切な動作をさせるようにするものであって、制御信号解析部（機能設定要求受信手段）１４と、制御部（制御手段）１１と、設定内容変更部（設定内容変更手段）１７と、をそなえて構成されている。また、これらの機能はＣＰＵ２１，メモリ１８ａ，ＲＯＭ２２等にて発揮される。
【００３５】
ここで、制御信号解析部１４は、上記の携帯電話機１ｂの機能設定要求受信手段４に対応し、呼設定メッセージ３０に付加された発側の携帯電話機１ａからの機能設定要求を解析するものである。また、制御部１１は、上記携帯電話機１ｂの制御手段１０に対応し、設定変更許諾判定部（判定手段）１５と、指令部１６とをそなえて構成されている。
【００３６】
ここで、設定変更許諾判定部１５は上記の携帯電話機１ｂの制御手段１０内の判定手段５に対応し、上記の制御信号解析部１４にて受信された機能設定要求を受け入れるかどうかを判定するものであり、複数の機能設定要求に対応して、部分判定部１５−２〜１５−４をそなえて構成されている。さらに、設定内容変更部１７は、上記の携帯電話機１ｂの設定内容変更手段７に対応し、制御信号解析部１４にて解析された機能設定要求に従って設定内容を変更しうるものである。そして、指令部１６は上記の携帯電話機１ｂの制御手段１０内の指令手段６に対応し、設定変更許諾判定部１５で機能設定要求を受け入れると判定した場合には、その機能設定要求に従った設定内容変更部１７による設定内容の変更を許容する一方、設定変更許諾判定部１５で機能設定要求を受け入れないと判定した場合には、機能設定要求に従った設定内容変更部１７による設定内容の変更を拒否しうるものである。
【００３７】
加えて、この携帯電話機１ｂ内の設定変更諾否記憶部１８は、上記の携帯電話機１ｂの記憶手段８に対応し、データの読出・書込をするものであり、メモリ１８ａをそなえて構成されている。この設定変更諾否記憶部１８は、諾否（許諾或いは拒否のことをいう。以下同じ）を表す情報をこのメモリ１８ａの特定のビットのオン／オフ状態で記憶するようにしており、この機能は不揮発性のＲＡＭによって発揮される。また、この諾否ビットの意味は次のようになる。
【００３８】
発信者が予め着側電話機のリンガ２３の呼び出し音の変更やバイブレータ２４のオン／オフ等の機能設定要求を入れて送信するだけでは、着信者は、無断で自分の電話機の設定を変更されてしまう可能性がある。例えば、会議中などで大きな着信音が鳴り響くのが相応しくない場所で仕事をしている人にとっては、無断で着信音を大きくされると、大変不都合である。そこで、着側電話機の使用者は、発信者からの着側電話機のリンガ２３の呼び出し音やバイブレータ２４のオン／オフ等の設定内容の変更要求を無条件に受け入れるのではなく、無条件に拒否することもできるように、ケースバイケースで許諾／拒否するというようにしている。図７に、着側電話機のメモリ１８ａ内の諾否情報を設定するための一領域を示す。この図７に示す第０ビット（同図右端に示すビット）が諾否を表すビットであって、発信者から送信されうる設定変更要求に対して、変更許諾なら第０ビットに１が格納され、変更拒否ならば第０ビットに０が格納される。そして、図５における設定変更許諾判定部１５は、メモリ１８ａ内の所定番地（領域）に記憶されている諾否情報を参照し、機能設定要求を受け入れるかどうかの判定を行なうのである。すなわち、諾否情報＝許諾ならば、設定変更が行なわれ、逆に、諾否情報＝拒否ならば設定変更が行なわれないので、この携帯電話機１ｂの使用者が予め望む通りに諾否情報を設定しておくことにより、会議中の部屋にいるとき等は、望まない設定変更はされないようにできる。
【００３９】
再度、図５に戻って、表示操作部１９は、上記の携帯電話機１ｂの表示操作手段９に対応するものであり、使用者へ入力操作を促すメニューを表示するとともに、使用者から入力される諾否設定を受け付けるものであり、これらの機能はディスプレイ１９ａ，テンキー１９ｂ，スイッチ１９ｃ等によって発揮される。すなわち、この表示操作部１９は、通常の表示を行なう一方、使用者がどのスイッチ１９ｃを押下してメニュー選択したか等のスイッチ操作に従って、機能設定の諾否を読み取る。そのほか、表示操作部１９は、テンキー１９ｂの押下によって、メッセージ処理部２６を始めとする携帯電話機１ｂを構成する各部に対して指示を行なう機能をも有する。
【００４０】
なお、この設定方法は、ヒューマンマシンインタフェース（ＨＭＩ）による設定方法であって、使用者が予め手動により変更要求に対する諾否を電話機に入力すると、その諾否情報がメモリ１８ａ内に記憶される。この入力方法は、ＨＭＩではなく、外部からのメモリ書き込み手段２７によりメモリ１８ａに記憶させる方法でもよい。すなわち、設定変更諾否記憶部（判定基準設定手段）１８が、機能設定要求を受け入れるかどうかについての判定基準情報（諾否情報）を、外部入力手段２７を用いて設定することもでき、これによれば複雑な設定でも簡単に行なえる。
【００４１】
これにより、発信者は、携帯電話機１ａを用いて、機能設定要求を呼設定メッセージに付加して発呼し、その呼は、無線基地局５０ａにて受信・処理されて、ＩＳＤＮ網５１を介して、無線基地局５０ｂから無線信号として送信される。この無線信号は、携帯電話機１ｂの受信アンテナ２にて受信され、無線受信部１３において、受信された無線信号は復調され、メッセージ処理部２６に入力される。そして、このメッセージ処理部２６内の制御信号解析部１４において、復調された信号から呼設定メッセージ３０が取り出され、その呼設定メッセージ３０内のユーザユーザ情報領域３０ａが検索されて設定変更要求の有無が検査されて出力される。一方、この携帯電話機１ｂの使用者は、予め他人に設定されても構わない設定項目とそうでない設定項目とを選択し、表示操作部１９のメニューにしたがって、機能設定要求の諾否を設定しておき、この諾否情報は、設定変更諾否記憶部１８によって、このメモリ１８ａ内の所定番地に記憶される。
【００４２】
そして、指令部１６においての制御方法は次のようになる。すなわち、まず、設定変更許諾判定部１５において、制御信号解析部１４から出力される設定変更要求の有無の結果と、設定変更諾否記憶部１８からの諾否情報とにより設定変更の許諾判定が行なわれる。呼設定メッセージ３０内のユーザユーザ情報要素の特定のビットがオンの場合、メモリ１８ａに格納されている諾否を示すビットが検査され、オンならば、その他のユーザユーザ情報要素により要求された内容に従って、本携帯電話機１ｂの設定内容が設定内容変更部１７により変更され、リンガ２３からの鳴動音（呼び出し音）が大きく、又は小さくされ、バイブレータ２４についても、オフからオンに変更されると着信時に振動する一方、オンからオフに変更されると着信時の振動は止む。この諾否条件とは逆に、メモリ１８ａに格納されている諾否を示すビットがオフならば、呼設定メッセージ３０内のユーザユーザ情報要素の特定のビットがオンになっていても、本携帯電話機１ｂは設定変更されない。これから、発信者は、着信者が特定の設定を許諾している場合は、発側電話機を用いることで、着側電話機を遠隔設定できる。また、着信者は、まったく無条件に発信者による設定変更を受けることなく、設定内容変更に対して許諾／拒否の選択ができるようになっている。
【００４３】
このような構成によって、発信者は、発側電話機から着側電話機の設定内容を変更するための操作を行なう一方、着信者は、機能設定変更が無条件に行なわれないようにするため、発信者からの設定変更要求に対して許諾／拒否を行なってケースバイケースでの選択を行なうが、設定変更許諾判定部１５の機能設定要求を受け入れるための判定の種類は、次の（１）〜（３）の３種類がある。
（１）特定の電話番号の相手のみ許諾（許可）する方法。
【００４４】
この場合、設定変更許諾判定部１５は、特定情報として特定の電話番号を有する電話機からの機能設定要求である場合に、その機能設定要求を受け入れると判定する。
（２）特定の識別情報（ＩＤ／パスワード）をもつ相手のみ許諾する方法。
この場合、設定変更許諾判定部１５は、特定情報として特定の識別情報を有する電話機からの機能設定要求である場合に、その機能設定要求を受け入れると判定する。
（３）特定のビットパターンを有する相手からの場合は、無条件に設定変更を許諾する方法。
【００４５】
すなわち、着側電話機における設定変更要求の許諾／拒否の設定に関わらず、特定のビットパターンを有する発側電話機は、強制的に着側電話機の設定を変更をしうる方法である。この場合、設定変更許諾判定部１５は、特定情報として電話機に当初から付与された特定の識別情報を有する電話機からの機能設定要求である場合に、その機能設定要求を受け入れると判定する。
【００４６】
換言すれば、制御部１１は、機能設定要求を受け入れるために、上記の（１）〜（３）の３種類を有し、また、特定情報を有する電話機からの機能設定要求である場合に、その機能設定要求を受け入れるように構成されていることになる。また、上記の（１）から、この制御部１１は、特定情報として特定の電話機情報を有する電話機からの機能設定要求である場合に、機能設定要求を受け入れるように構成されていることになる。そして（２）から、この制御部１１は、特定情報として特定の識別情報を有する電話機からの機能設定要求である場合に、機能設定要求を受け入れるように構成されていることになり、さらに（３）から、この制御部１１は、特定情報として電話機に当初から付与された特定の識別情報を有する電話機からの機能設定要求である場合に、機能設定要求を受け入れるように構成されていることになる。
【００４７】
これら（１）〜（３）の特定情報の一致・不一致の比較方法については、次のようになる。
（１）の方法は、受信した呼設定メッセージ３０内に設定変更要求があった場合に、設定変更許諾判定部１５は、呼設定メッセージ３０内の発番号とメモリ１８ａに記憶されている発番号とを比較し、一致なら設定変更を行ない、不一致ならば設定変更を行なわない。すなわち、図５のメッセージ処理部２６は、図６（ａ）の呼設定メッセージ３０中に含まれる発番号を検査し、設定変更を許容する発信者の電話番号が設定されている場合に限り、設定変更要求を受け付けるようにする。どの発番号を許容するかは、HMI や外部メモリ書き込み手段２７により予めメモリ１８ａに記憶しておく。
【００４８】
また、（２）の方法は、受信した呼設定メッセージ３０内に設定変更要求があった場合に、設定変更許諾判定部１５は、呼設定メッセージ３０内のＩＤ／パスワード情報とメモリ１８ａに記憶されているＩＤ／パスワード情報とを比較し、一致なら設定変更を行なって、不一致ならば設定変更を行なわない。すなわち、メッセージ処理部２６は、図６（ａ）の呼設定メッセージ３０内に、その発信者に設定変更の権限があることを示す特定のＩＤパスワード情報が設定されている場合に限り、設定変更要求を受け付けるようにする。どのＩＤパスワードを許容するかは、HMI や外部メモリ書き込み手段２７により予めメモリ１８ａに記憶させておく。
【００４９】
さらに、（３）の方法は、受信した呼設定メッセージ３０内に設定変更要求があった場合に、設定変更許諾判定部１５は、呼設定メッセージ３０内に発信者が特殊な権限を持つことを示す情報が入っていれば設定変更を行ない、たとえ使用者が設定を拒否する場合でも無条件に遠隔からの設定変更をすることが出来る。例えば販売店においてペアで携帯電話機を購入する際、電話番号，ＩＤ等とともに、一方の電話機には、特定の８バイトのビットパターンが書き込まれ、他方の電話機には、その特定の８バイトのビットパターンを認識できるよう設定しておく。そして、他の電話機側のメッセージ処理部２６は、図６（ａ）の呼設定メッセージ３０内に、その発信者に特殊の権限があることを示す情報（一方の電話機側の特定の８バイトのビットパターン）が設定されている場合に限り、設定変更要求を受け付けるようにする。なお、この場合、着信者がこの条件設定を変更できないように、表示操作部１９からの変更をさせないようにしたり、又は一般ユーザには知らせないような特殊な操作でのみ、変更できるようにする必要がある。
【００５０】
これら（１）〜（３）の設定条件により、設定が行なわれるが、まず、発信者による設定の操作方法を図８を用いて説明する。
図８は、発信者による設定操作方法を説明するための画面遷移図であり、それぞれの四角形の囲いはディスプレイ（図４のディスプレイ６４ａ）のウィンドウ表示を表している。発信者は、この遷移図が示す画面上のメニューに沿って、着側電話機１ｂのリンガ２３の着信音やバイブレータ２４のオン／オフの設定を行なうのである。まず、ステップＡ１において、１：メモリ設定，２：ロック機能，３：相手機能設定の３種類の設定内容が表示される。このうち発信者が、３：相手機能設定を選択すると、ステップＡ２に移行し、発信者は、１：着信音設定，２：バイブレータ設定の選択を行なう。ここで、発信者が１：着信音設定を選択すると、ステップＡ３にて、着信音パターンの選択画面が表示される。発信者は、これらの着信音パターン１〜８の中から１つを選択して『設定する』か、或いは『しない』かを決定し、決定がなされると、ステップＡ４において、発信者は、送信前の設定確認を問われ、発信者が『送信する』を選択すると、ステップＡ５に進み、送信宛先番号の入力が促されて、その入力がなされると、送信が開始され、ステップＡ６のように、送信中は画面に『相手設定を送信しました』というエコーバックが表示される。また、ステップＡ２において、発信者が２：バイブレータ設定を選択すると、ステップＡ７に移行し、ステップＡ８にて、バイブレータ２４の設定の選択画面が表示される。発信者は、『Ｏｎ』又は『Ｏｆｆ』を選択して、『設定する』か、或いは『しない』かを決定し、決定がなされると、ステップＡ４に進み、ステップＡ４以降は、着信音設定と同様な流れをとることになる。なお、ステップＡ４において、『（送信）しない』が選択された場合には、再度ステップＡ１に戻って操作が行なわれる。そして、このような画面遷移にしたがって設定された後に、この無線信号が送信される。
【００５１】
従って、ＩＳＤＮ網５１を介して、発信者は、呼設定メッセージ３０内のユーザユーザ情報領域３０ａに、変更内容を示す設定要求情報を含めて送信することにより、着信側である相手電話機の設定を、その要求に従って自動的に変更することができる。例えば電話をかけた際に、相手電話機を何回コールしても応答して貰えない場合に、相手携帯電話機１ｂのリンガ２３の呼び出し音量を大きくさせたり、バイブレータ２４をオンにさせることが可能となる。
【００５２】
これに対して、着側電話機での制御要領を図９を用いて説明する。この図９に示すフローチャートは、図５におけるメッセージ処理部２６の制御要領であるが、この図９に示すステップＢ１において、呼設定メッセージ３０が受信されると、ステップＢ２において、その受信メッセージ上に設定変更要求の有無が判定される。この方法は、図６（ｂ）で説明したように、メッセージ処理部２６がユーザユーザ情報領域３０ａのオクテット３の設定変更要求の値を検査することにより行なう。そして、このステップＢ２において、オクテット３の下位２ビット値が『１０』であると、メッセージ処理部２６は、設定変更要求有りと判定して、有ルートをとり、ステップＢ３において、メッセージ処理部２６（具体的には設定変更許諾判定部１５）が、諾否判定を行なうため、図７のメモリ１８ａの第０番ビット（右端のビット）に格納されているビットを検査する。ここで、ビット０はオフ（変更拒否）を表し、またビット１は、オン（変更許諾）を表す。このステップＢ３において、ビット０（変更拒否）の場合は、否ルートをとり、プログラムは終了する（ステップＢ８）が、ビット１（変更許諾）の場合は、諾ルートをとり、設定変更フローＦＬ１（図９のステップＢ４〜ステップＢ７）でのフローが行なわれる。
【００５３】
まず、ステップＢ４において、受信メッセージ中の着信音要求の有無が検査されるが、これは、図６（ｂ）のユーザユーザ情報領域３０ａのオクテット４のLSB から２番目のビットを検査することによって行なわれる。このビットが１ならば（図９では下位２ビット１Ｘと記載している）、着信音要求が有りと判定されて有ルートがとられ、ステップＢ５において、メッセージ処理部２６は、ユーザユーザ情報領域３０ａのオクテット５の値を検査する。ここで、メッセージ処理部２６は、その値が0000001X[bin] なら、着信音をオンに設定し、0000000X[bin] ならオフに設定する。逆に、ステップＢ４において、ユーザユーザ情報領域３０ａのオクテット４のLSB から２番目のビットが０ならば（図９では下位２ビット０Ｘと記載している）、着信音要求は無しと判定されて無ルートがとられ、ステップＢ６のバイブレータ２４の設定要求の有無（図９ではバイブレータ要求有無と記載している）の検査が行なわれる。
【００５４】
次に、ステップＢ６において、メッセージ処理部２６は、ユーザユーザ情報領域３０ａのオクテット４のLSB を検査して、この値が１なら（図９では下位２ビットＸ１と記載している）、バイブレータ設定要求有りと判定して、有ルートをとる。そして、ステップＢ７において、メッセージ処理部２６は、ユーザユーザ情報領域３０ａのオクテット５の値を検査し、その値が000000X1[bin] なら、バイブレータ２４をオンに設定し、000000X0[bin] ならオフに設定する。なお、ステップＢ６において、ユーザユーザ情報領域３０ａのオクテット４のLSB が０なら（図９では下位２ビットＸ０と記載している）、バイブレータ設定要求は無しと判定されて、無ルートをとって、プログラムが終了する（ステップＢ８）。
【００５５】
このように、受信メッセージ上に設定変更要求が格納されている場合（ステップＢ２の有ルート）、諾否判定が行なわれる。設定変更が拒否ならば設定変更はされないので（ステップＢ３の否ルート）、着信者は、無条件に発信者の要請を拒否できるとともに、設定変更が許諾ならば設定変更がされうるので（ステップＢ３の諾ルート）、その場合は、発信者の遠隔操作を受けることとなる。またこれにより、ケースバイケースで設定でき、電話機利用の利便性を高めることができる。
【００５６】
次に、着側電話機の設定内容の変更のための他の制御要領を図１０，１１，１６を用いて説明するが、この図１０に示すフローチャートにおいて、ＦＬ２と付した部分のフローが、前記の図９に示したＦＬ１と付した部分のフローよりも詳細になっている。
すなわち、この図１０に示すステップＣ１において、呼設定メッセージ３０が受信されると、ステップＣ２において、その受信メッセージ上に設定変更要求の有無が判定される。この方法は、メッセージ処理部２６がユーザユーザ情報領域３０ａのオクテット３の下位２ビットの値を検査することにより行なう。そしてこのステップＣ２において、設定変更要求の下位２ビットが『１０』であると、有りと判定されて有ルートをとり、ステップＣ３において、メッセージ処理部２６（具体的には設定変更許諾判定部１５）が、１回目の諾否判定を行なう。図１１に着側電話機のメモリ１８ａ内の諾否情報を設定するための他の領域を示すが、設定変更許諾判定部１５は、この図１１に示すメモリ１８ａの第０番ビット（符号１８ａ−１が付された位置のビット）に格納されているビットを検査する。ここで、ビット０はオフ（変更拒否）を表し、またビット１は、オン（変更許諾）を表す。このステップＣ３において、ビット０（変更拒否）の場合は、否ルートをとり、プログラムは終了するが（ステップＣ１２）、ビット１（変更許諾）の場合は、設定変更フローＦＬ２（この図１０のステップＣ４〜ステップＣ１１）でのフローが行なわれる。
【００５７】
まず、ステップＣ４において、着信音要求の有無がユーザユーザ情報領域３０ａのオクテット４のLSB から２番目のビットを検査することによって行なわれ、このステップＣ４で、着信音要求が有りと判定されると、有ルートがとられ、ステップＣ５において、着信音変更要求について、諾否判定がなされる。従って、ステップＣ３の諾否判定から数えると２回目の諾否判定となる。設定変更許諾判定部１５内の部分判定部１５−２は、図１１に示すメモリ１８ａの第１番ビット（符号１８ａ−２が付された位置のビット）に格納されているビットを検査し、ビット０の場合は、着信音変更要求は拒否となり、拒否ルートをとり、ステップＣ８のバイブレータ２４の設定の検査が行なわれる。なおここで、ビット０はオフ（変更拒否）を表し、またビット１は、オン（変更許諾）を表す。また、このステップＣ５において、ビット１の場合は、着信音変更要求は許諾となり、許諾ルートがとられ、続けてステップＣ６で、ＩＤ／パスワードについての諾否判定が、部分判定部１５−３によりなされる。すなわち、ステップＣ３の諾否判定から数えると、３回目の諾否判定となる。
【００５８】
図１４は、ＩＤ／パスワードによる諾否判定の制御要領を示すフローチャートであるが、この図１４のステップＥ３において、メモリ１８ａに格納されているＩＤ／パスワードと、受信メッセージ中のＩＤ／パスワードとが比較される。また、図１５にＩＤ対応に判定する場合の他のメモリ領域での格納情報と形式例を、図１６にＩＤ対応に判定する場合のユーザユーザ情報領域３０ａのフォーマットをそれぞれ示す。図１４のステップＥ３において、設定変更許諾判定部１５内の部分判定部１５−３は、図１６に示す受信したユーザユーザ情報領域３０ａ内のＩＤ（オクテット６〜オクテット１２）及びパスワード（オクテット１３〜１７）と、図１５に示す他のメモリ領域１８ｃに入力しておいたＩＤ／パスワードとを順次比較していく。例えば受信メッセージ中のＩＤがAAA0000 でパスワードが!#ABC の場合は、図１５のメモリ領域１８ｃのｎ番地に格納されたＩＤ／パスワードと一致するので、この発信者の設定変更要求は許諾となる。
【００５９】
そして、図１０に戻って、ステップＣ６における諾否判定結果も許諾となり、このステップＣ６の許諾ルートがとられ、ステップＣ７に進み、ここで初めて着側電話機の着信音に関する設定が行なわれるのである。ステップＣ７では、メッセージ処理部２６が、ユーザユーザ情報領域３０ａのオクテット５のLSB から２番目のビットを検査し、この値が１ならば、設定内容変更部１７は着信音をオンに設定し、逆にこの値が０ならば、設定内容変更部１７は着信音をオフに設定する。なお、ステップＣ６で、ＩＤ／パスワードが一致しなければ、拒否ルートがとられ、ステップＣ８のバイブレータ２４の設定の検査が行なわれる。すなわち、この３回目の諾否判定において、メッセージ処理部２６内の制御部１１にある指令部１６は、部分判定部１５−３で該当する機能設定要求を受け入れると判定した場合には、当該機能設定要求に従った設定内容変更部１７による該当する設定内容の変更を許容する一方、部分判定部１５−３で該当する機能設定要求を受け入れないと判定した場合には、当該機能設定要求に従った設定内容変更部１７による該当する設定内容の変更を拒否していることになる。この場合発信者は、着信音の設定変更要求の許諾は与えられないことになる。
【００６０】
次の段階として、ステップＣ８において、メッセージ処理部２６は、ユーザユーザ情報領域３０ａのオクテット４の値を検査することによって、バイブレータ設定要求の有無を判定する。そして、このステップＣ８で、バイブレータ設定要求が有りと判定されると、有ルートをとり、ステップＣ９において、バイブレータ変更要求について、ステップＣ３から数えて４回目の諾否判定がなされる。
【００６１】
すなわち、設定変更許諾判定部１５内の部分判定部１５−４は、図１１に示すメモリ１８ａの第２番ビット（符号１８ａ−３が付された位置のビット）に格納されているビットを検査し、この値が１の場合は、ステップＣ９の許諾ルートをとり、続けてステップＣ１０で、発番号通知の有無が検査される。ステップＣ９において、値が０の場合は、バイブレータ変更要求を拒否と判定して、拒否ルートをとり、プログラムが終了する（ステップＣ１２）。ここでも、ビット０はオフ（変更拒否）を表し、またビット１は、オン（変更許諾）を表す。
【００６２】
さらに、メッセージ処理部２６は、ステップＣ１０において、発番号通知の有無を判定するが、この方法は、図６（ａ）の呼設定メッセージ３０の発番号領域に所定の発番号が格納されているかが検査されることによって行なわれる。この発番号が格納されていないと、無ルートがとられ、プログラムは終了する（ステップＣ１２）が、発番号が格納されていれば、有ルートがとられてステップＣ１１に進む。そしてこのステップＣ１１において初めて、メッセージ処理部２６は、着側の携帯電話機１ｂ内のバイブレータ２４に関する設定を行なうのである。これはメッセージ処理部２６が、ユーザユーザ情報領域３０ａのオクテット５のLSB を検査し、この値が１ならば、設定内容変更部１７はバイブレータ２４をオンに設定し、逆にこの値が０ならば、設定内容変更部１７はバイブレータ２４をオフに設定するように行なわれる。そして、これが行なわれると、プログラムは終了する（ステップＣ１２）。すなわち、この諾否判定において、メッセージ処理部２６内の制御部１１にある指令部１６は、部分判定部１５−４で該当する機能設定要求を受け入れると判定した場合には、当該機能設定要求に従った設定内容変更部１７による該当する設定内容の変更を許容する一方、部分判定部１５−４で該当する機能設定要求を受け入れないと判定した場合には、当該機能設定要求に従った設定内容変更部１７による該当する設定内容の変更を拒否していることになる。
【００６３】
このように、受信メッセージ上に設定変更要求が格納されている場合（ステップＣ２の有ルート）、諾否判定が行なわれて、設定変更が拒否ならば設定変更はされないので（ステップＣ３の否ルート）、着信者は、無条件に発信者の要請を拒否できるとともに、設定変更が許諾ならば設定変更がされうるので（ステップＣ３の諾ルート）、着信者は、この場合発信者の遠隔操作を受けることとなる。
【００６４】
また、このように、リンガ２３の着信音と、バイブレータ２４のオン／オフとを、それぞれ個別に変更要求の諾否を設定できるようになるので（図１０のステップＣ５，Ｃ９）、例えば周囲が大変静かな場所では、着信音変更をさせないようにでき、バイブレータ２４の設定変更だけは許諾できるというような、切り分けた制御が可能となる。
【００６５】
加えてまた、リンガ２３，バイブレータ２４等変更する項目によって許諾条件を個別に設定できるようになるので（図１０のステップＣ６，Ｃ１０）、例えば着信音の変更は、ＩＤ／パスワードを知っている限られた人だけに許諾し、バイブレータ２４の設定変更は発番号通知をすれば、誰でも変更できるようになる。こうして、図９のような制御要領よりもきめ細かな制御が可能となり、ケースバイケースで設定でき電話機利用の利便性を高めることができる利点がある。
【００６６】
さらに、このように、機能設定要求が、リンガ２３の着信音やバイブレータ２４の動作オン／オフ等の複数の要求を含んでいる場合に（ステップＣ３，Ｃ５，Ｃ６，Ｃ９）、設定変更許諾判定部１５が、これらの機能設定要求毎にそれぞれの機能設定要求を受け入れるかどうかを判定するように、複数の部分判定部１５−２〜１５−４にて判定していることになる。そして、指令部１６が、これらの部分判定部１５−２〜１５−４で該当する機能設定要求を受け入れると判定した場合には、当該機能設定要求に従った設定内容変更部１７による該当する設定内容の変更を許容する一方、部分判定部１５−２〜１５〜４で該当する機能設定要求を受け入れないと判定した場合には、当該機能設定要求に従った設定内容変更部１７による該当する設定内容の変更を拒否しうるように判定していることになる。
【００６７】
なお、上述した（１）〜（３）の各条件を個別に行なった場合のメッセージ処理部２６の制御要領を図１２〜１８を用いて説明する。
まず、（１）の制御方法について図１２，１３を用いて説明する。図１２に、発番号に応じて許諾／拒否を切り替える場合の制御要領を示す。この図１２に示すステップＤ１において、呼設定メッセージ３０が受信されると、ステップＤ２で、メッセージ処理部２６は、受信メッセージ上の設定変更要求の有無を判定する。そして、有りと判定されると、有ルートをとり、ステップＤ３において、呼設定メッセージ３０内の発番号の領域〔図６（ａ）参照〕とメモリ１８ａに格納されている電話番号とを順次比較することによって、発信者の電話番号が含まれているかが照合される。そして、照合の結果、含まれていれば図１２のステップＤ３の諾ルートがとられ、ステップＤ５で、前述した設定変更フローＦＬ１又はＦＬ２が実行され、設定変更要求に基づくリンガ２３の着信音の変更，バイブレータ２４の変更等が実行され、プログラムが終了する（ステップＤ４）。なお、このステップＤ２において受信メッセージ中に設定変更要求が無しと判定されたり、ステップＤ３において一致する電話番号が無い場合には、それぞれ無ルート，否ルートがとられ、プログラムは、終了する（ステップＤ４）。
【００６８】
また、設定変更諾否記憶部１８の登録動作は、次のようになる。まず、使用者が、表示操作部１９で表示されるメニューにしたがって設定変更許諾者の電話番号を入力すると、設定変更諾否記憶部１８は、この表示操作部１９が読み取った電話番号を、メモリ領域１８ｂの特定の位置に格納する。図１３に発番号対応に判定する場合のメモリ領域１８ｂへの格納情報と形式例を示す。受信メッセージ中の呼設定メッセージ３０の発番号情報要素が、”0447771111”, ”0447401111”, ”0377771111”の３種類のいずれかの電話番号であると、図１２のステップＤ３において、この発番号と図１３に示すメモリ領域１８ｂに格納しておいた電話番号とが比較されて、一致するので、ステップＤ３における判断結果は諾（一致する番号有）となる。また、設定変更許諾者の電話番号以外からの着信時には、設定変更諾否記憶部１８は、その変更要求に対して拒否の判断をし、設定変更は行なわない。なお、この図１３に示すメモリ領域１８ｂには複数の電話番号を格納することができる。番地（アドレス）番号は、説明の便宜上割り振ったもので、アドレス間隔が同図に示す間隔に限る必要はない。
【００６９】
このように、受信した呼設定メッセージ３０内に設定変更要求があったときに、設定変更許諾判定部１５が、特定情報を有する電話機からの機能設定要求である場合に、その機能設定要求を受け入れると判定しており、その特定情報として特定の電話番号を有する電話機からの機能設定要求である場合に、その機能設定要求を受け入れると判定している。すなわち、この設定変更許諾判定部１５は、呼設定メッセージ３０内の発番号とメモリ領域１８ｂに記憶されている発番号とを比較し、一致なら設定変更を行ない、不一致ならば、設定変更を行なわないので、発信者からの設定変更要求を相手毎に許諾又は拒否できるようになるので、着側の使用者は、発信者に望まない設定変更をさせないようにすることができる。
【００７０】
またこのように、制御部１１は、特定情報を有する電話機からの機能設定要求である場合に、機能設定要求を受け入れており、その特定情報として特定の電話機情報を有する電話機からの機能設定要求である場合に、その機能設定要求を受け入れている。
次に、（２）の制御方法について図１４〜１６を用いて説明する。図１４にＩＤ／パスワードによって許諾／拒否を切り替える場合のメッセージ処理部２６の制御要領を示す。この図１４のステップＥ１にて、呼設定メッセージ３０が受信されると、ステップＥ２で、メッセージ処理部２６は、受信メッセージ中の設定変更要求の有無を判定する。そして、有りと判定されると、有ルートをとり、ステップＥ３において、メッセージ処理部２６は、図１６に示すユーザユーザ情報内に含まれる、発信者から送られてくるオクテット６〜１２のＩＤ（AAA0000 ）と、オクテット１３〜１７のパスワード（!#ABC ）と、図１５に示すメモリ領域１８ｃに格納されている発信者のＩＤ／パスワード（AAA0000/!#ABC 又はAAB0001/ABC##)とを順次比較し、一致すれば、諾と判定し、諾ルートをとり、また、一致するＩＤ／パスワードが無ければ、否と判定する。すなわち、ＩＤ／パスワードがAAA0000/!#ABC 又はAAB0001/ABC## を有する発信者のみが、着側電話機の設定をすることができる。そして、この図１４のステップＥ５の設定変更フローＦＬ１又はＦＬ２が実行されて、設定変更要求に基づくリンガ２３の着信音の変更及びバイブレータ２４の変更が実行されて、プログラムが終了する（ステップＥ４）。なお、ステップＥ２において、設定変更要求が無しと判定されたり、ステップＥ３において、一致するＩＤ／パスワードが無いと判定されたときはそれぞれ、無ルート，否ルートをとり、プログラムは終了する（ステップＥ４）。また、この図１５に示すメモリ領域１８ｃには複数のＩＤ／パスワードを格納することができる。番地（アドレス）番号は、説明の便宜上割り振ったもので、アドレス間隔が同図に示す間隔に限る必要はない。
【００７１】
この設定変更を許諾する発信者のＩＤ／パスワードの登録は次のようになる。予め使用者が、表示操作部１９に表示されるメニューにしたがって入力すると、設定変更諾否記憶部１８は、表示操作部１９が読み取った設定変更許諾者のＩＤ／パスワードをメモリ領域１８ｃの特定の位置に格納する。設定変更許諾者のＩＤ／パスワード以外からの着信時は設定拒否と判断され、設定変更は行なわれない。
【００７２】
このように、設定変更許諾判定部１５が、特定情報として特定の識別情報を有する電話機からの機能設定要求である場合に、その機能設定要求を受け入れると判定している。すなわち、受信した呼設定メッセージ３０内に設定変更要求があったときに、設定変更許諾判定部１５は、呼設定メッセージ３０内のＩＤ／パスワード情報とメモリ領域１８ｃに記憶されているＩＤ／パスワード情報とを比較し、一致なら設定変更を行ない、不一致ならば、設定変更を行なわないので、発信者からの設定変更要求をＩＤ毎に許諾又は拒否できるようになるので、着側の使用者は、望まない設定変更をさせないようにすることができる。また、これにより、特定のＩＤ／パスワードが複数のユーザに割り当てらることができるので、複数の使用者により書込みを行なうことが可能となる。さらに、制御部１１は、特定情報として特定の識別情報を有する電話機からの機能設定要求である場合に、その機能設定要求を受け入れている。
【００７３】
次に（３）による制御方法を図１７，１８を用いて説明する。図１７は、特権のある発信者に対して無条件に設定変更を許容する場合のメッセージ処理部２６の制御要領を示すフローチャートであり、また、図１８に特権的変更を設定する場合のユーザユーザ情報領域１８ａのフォーマットを示す。この図１７のステップＦ１にて、呼設定メッセージ３０が受信されると（ステップＦ１）、ステップＦ２で、メッセージ処理部２６は、受信メッセージ中の設定変更要求の有無を判定する。そして、有りと判定されると、有ルートをとり、ステップＦ３において、メッセージ処理部２６は、ユーザユーザ情報領域３０ａ（図１８参照）のオクテット６〜１３に、８バイトの特定のビットパターンが書き込まれているかどうかを検査する。そして、このステップＦ３にて特定のビットパターンが入っていると、メッセージ処理部２６は諾と判定し、諾ルートをとり、ステップＦ５の設定変更フローＦＬ１又はＦＬ２が実行されて、設定変更要求に基づくリンガ２３の着信音の変更及びバイブレータ２４の変更が実行されてプログラムが終了する（ステップＦ４）。なお、ステップＦ２において無しと判定された場合や、ステップＦ３において、特定のビットパターンが無しと判定された場合はそれぞれ、無ルート，否ルートがとられ、プログラムは終了する（ステップＦ４）。
【００７４】
ステップＦ３における、ビットパターンの検査方法は、次のようになる。すなわち、図１８に示すユーザユーザ情報領域３０ａ内のオクテット６〜１３の値が読み取られ、特定の８バイトのビットパターン（例えば16進表記で、1A2B596BF3EE9FO3）が設定されているかどうかが検査される。ビットパターンが一致すると、メッセージ処理部２６は、このパターンが特権的変更をする発信者からの送信であることと判定し、ステップＦ３での判断結果は諾（特定のビットパターン有）となる。逆に、このステップＦ３において、設定変更要求が無しと判定されると、無ルートをとり、プログラムは終了する（ステップＦ４）。
【００７５】
このように、設定変更許諾判定部１５が、特定情報として電話機に当初から付与された特定の識別情報を有する電話機からの機能設定要求である場合に、その機能設定要求を受け入れると判定しており、受信した呼設定メッセージ３０内に設定変更要求があったときに、発信者が特殊な権限があることを示す情報が設定されている場合は、無条件に設定変更要求を受け付けるようになっている。また、制御部１１は、特定情報として電話機に当初から付与された特定の識別情報を有する電話機からの機能設定要求である場合に、その機能設定要求を受け入れている。なお、この場合は、何をもって特殊な権限と判断するかをユーザが変更すると無条件な書き込みができなくなるので、表示操作部１９からの変更はさせないか、又は、一般ユーザには知らせない特殊な操作でのみ変更できるようにする。
【００７６】
こうすることによって、例えば親と子供とが、ペアで携帯電話機を購入する際に、その販売店において、親側の携帯電話機は、特権的変更をする者を表す特定ビットパターンが書き込まれる。そして、この親は、子供が設定変更の許諾をオフにしていても、強制的に子供の携帯電話機の設定を変更することができるようになる。親と子供とが、ペアで携帯電話機を購入する際に、その販売店において、親側の携帯電話機は、特権的変更をする者を表す特定ビットパターンが書き込まれる。そして、この親が、子供に電話をかけると、子供が設定変更の許諾をオフにしていても、子供側電話機が、発信者に特殊な権限があることを示す情報が設定されていることを認識して設定変更を許諾するので、親は、強制的に子供の携帯電話機の設定を変更することができるようになる。
【００７７】
また、これにより、着側の使用者が、設定変更の許諾をオフにしていても、発側の使用者は、強制的にオーバーライトすることが可能となる。
（Ｂ）その他
なお、本発明は上述した実施態様に限定されるものではなく、本発明の趣旨を逸脱しない範囲で、種々変形して実施することができる。例えば、呼設定メッセージ３０内の各領域でのビットの配置、及び、情報の埋め込み（または取り出し）方法、各フローチャートでの許諾・拒否等の論理表現等は、いろいろと変えて実施することが可能である。また、設定項目に関しても、着信音量，着信音色，バイブレータ２４のオン／オフのほかに、必要に応じて項目を追加することができる。
【００７８】
さらに、上記の実施形態においては、発側電話機・着側電話機の双方とも無線電話機であったが、固定電話を使用しても実施可能であることは言うまでもなく、さらに、上記の実施形態において、呼設定メッセージ３０に相当するような制御信号の送受信がなされている網であれば、ＩＳＤＮ網５１に限らず、携帯電話網、ＰＨＳ網等の他の網においても、実施可能であることは言うまでもない。
【００７９】
【発明の効果】
以上詳述したように、本発明の設定内容可変型電話機によれば、呼設定情報に付加された発側電話機からの機能設定要求を受信する機能設定要求受信手段と、この機能設定要求受信手段にて受信された機能設定要求に従って設定内容を変更しうる設定内容変更手段とをそなえるとともに、この機能設定要求を受け入れない場合に、その機能設定要求に従った設定内容変更手段による設定内容の変更を拒否しうる制御手段をそなえ、さらに、この制御手段が、前記機能設定要求が複数の要求を含んでいる場合に、前記複数の要求を受け入れるかどうかを判定する複数の部分判定手段をそなえ、前記複数の部分判定手段の判定結果に基づいて、前記複数の要求のそれぞれについて当該要求を受け入れない場合には、当該要求に従った前記設定内容変更手段による該当する設定内容の変更を拒否しうるように構成されているので、着信電話機の呼び出し音やバイブレータオン／オフ等の設定変更を発側電話機から制御することを許諾したり、或いは無条件に拒否したり、ケースバイケースで許諾／拒否できるので、不都合でない設定変更を可能とすることができるとともに不都合な設定変更を避けることができて、電話機利用の利便性を高められる利点がある。
さらに、上記の設定内容可変型電話機によれば、切り分けた制御が可能となり、きめ細やかな制御が可能となる利点がある。
【００８０】
そして、この制御手段は、特定情報を有する電話機からの機能設定要求である場合に、機能設定要求を受け入れるように構成することができるので、これにより、やはり、不都合でない設定変更を可能とすることができるとともに不都合な設定変更を避けることができて、電話機利用の利便性を高められる利点がある。
【００８１】
また、この制御手段は、特定情報として特定の電話番号を有する電話機からの機能設定要求である場合に、その機能設定要求を受け入れるように構成されてもよく、或いは、特定情報として特定の識別情報を有する電話機からの機能設定要求である場合に、その機能設定要求を受け入れるように構成されてもよく、また或いは、特定情報として電話機に当初から付与された特定の識別情報を有する電話機からの機能設定要求である場合に、その機能設定要求を受け入れるように構成されてもよく、このようにすれば、着信音とバイブレータとを、それぞれ個別に変更要求の諾否を設定できるようになるので、例えば周囲が大変静かな場所では、着信音変更をさせないようにでき、バイブレータの設定変更だけは許諾できるというような、切り分けた制御が可能となる上、着信音，バイブレータ等変更する項目によって許諾条件を個別に設定できるようになるので、例えば着信音の変更は、ＩＤ／パスワードを知っている限られた人だけに許諾し、バイブレータの設定変更は発番号通知をすれば、誰でも変更できるようになり、きめ細かな制御が可能となる利点がある。
【００８３】
さらに、機能設定要求を受け入れるかどうかについての判定基準情報を外部入力手段を用いて設定する判定基準設定手段をそなえて構成することもでき、このようにすれば、複雑な設定を簡単に行なえる利点がある。
加えて、本発明に関連する技術の着側電話機の設定内容変更が可能な電話機によれば、着側電話機の設定内容を変更するための、複数の要求を含む機能設定要求であって、前記着側電話機で当該複数の要求のそれぞれの判定結果に基づいて当該複数の要求のそれぞれに従った前記設定内容を変更するための機能設定要求を呼設定情報に付加する機能設定要求付加手段と、この機能設定要求付加手段による機能設定要求の付加時に、機能設定要求に基づいた着側電話機の設定内容の変更を許容しうる特定情報を呼設定情報に付加する特定情報付加手段とをそなえて構成されているので、例えばＩＳＤＮ網を介して、発信者は、着側電話機の設定を、その要求に従って自動的に変更することができる利点がある。
【図面の簡単な説明】
【図１】本発明を適用される設定内容可変型電話機及び着側電話機の設定内容変更が可能な電話機を収容した、ＩＳＤＮシステムの模式図である。
【図２】本発明の一実施形態にかかる発側電話機の機能ブロック図である。
【図３】本発明の一実施形態にかかる着側電話機の機能ブロック図である。
【図４】本発明の一実施形態にかかる発側携帯電話機のブロック構成図である。
【図５】本発明の一実施形態にかかる着側携帯電話機のブロック構成図である。
【図６】（ａ）は呼設定メッセージのフォーマットを説明する図であり、（ｂ）はユーザユーザ情報のフォーマットを説明する図である。
【図７】本発明の一実施形態にかかる着側電話機のメモリ内の諾否情報を設定するための一領域を説明する図である。
【図８】発信者による設定操作方法を説明するための画面遷移図である。
【図９】メッセージ処理部の制御要領を示すフローチャートである。
【図１０】本発明の一実施形態にかかる着側電話機の設定内容の変更のための他の制御要領を示すフローチャートである。
【図１１】本発明の一実施形態にかかる着側電話機のメモリ内の諾否情報を設定するための他の領域を説明するための図である。
【図１２】発番号に応じて許諾／拒否を切り替える場合の制御要領を示すフローチャートである。
【図１３】発番号対応に判定する場合のメモリへの格納情報と形式例を説明するための図である。
【図１４】ＩＤ／パスワードによる諾否判定の制御要領を示すフローチャートである
【図１５】ＩＤ対応に判定する場合の他のメモリ領域での格納情報と形式例を説明するための図である。
【図１６】ＩＤ対応に判定する場合のユーザユーザ情報領域のフォーマットを説明するための図である。
【図１７】特権のある発信者に対して無条件に設定変更を許容する場合のメッセージ処理部の制御要領を示すフローチャートである。
【図１８】特権的変更を設定する場合のユーザユーザ情報領域のフォーマットを説明するための図である。
【符号の説明】
１ａ，１ｂ  携帯電話機
２  受信アンテナ
３  無線受信手段
４  機能設定要求受信手段
５  判定手段
５−１〜５−ｎ  部分判定手段
６  指令手段
７  設定内容変更手段
８  記憶手段
９  表示操作手段
１０  制御手段
１１  制御部
１３  無線受信部（無線受信手段）
１４  制御信号解析部（機能設定要求受信手段）
１５  設定変更許諾判定部（判定手段）
１５−２，１５−３，１５−４  部分判定部
１６  指令部
１７  設定内容変更部（設定内容変更手段）
１８  設定変更諾否記憶部（記憶手段）
１８ａ，７７  メモリ
１８ｂ，１８ｃ  メモリ領域
１８ａ−１，１８ａ−２，１８ａ−３  ビット位置
１９，６４  表示操作部（表示操作手段）
１９ａ，６４ａ  （表示）ディスプレイ
１９ｂ，６４ｂ  テンキー
１９ｃ，６４ｃ  スイッチ
２０，７０  マイク
２１，７１  ＣＰＵ
２２，７２  ＲＯＭ
２３，７３  リンガ
２４，７４  バイブレータ
２５，７５  スピーカ
２６  メッセージ処理部
３０  呼設定メッセージ
３０ａ  ユーザユーザ情報領域
４０ａ，４０ｂ  固定電話機
４１  機能設定要求付加手段
４２  特定情報付加手段
４３  無線送信手段
４４，６３  送信アンテナ
５０ａ，５０ｂ  無線基地局
５１  ＩＳＤＮ網
６０  機能設定要求付加部（機能設定要求付加手段）
６１  特定情報要求付加部（特定情報要求付加手段）
６２  無線送信部（無線送信手段）
【図１】
0003974717.tif 000002
【図２】
0003974717.tif 000003
【図３】
0003974717.tif 000004
【図４】
0003974717.tif 000005
【図５】
0003974717.tif 000006
【図６】
0003974717.tif 000007
【図７】
0003974717.tif 000008
【図８】
0003974717.tif 000009
【図９】
0003974717.tif 000010
【図１０】
0003974717.tif 000011
【図１１】
0003974717.tif 000012
【図１２】
0003974717.tif 000013
【図１３】
0003974717.tif 000014
【図１４】
0003974717.tif 000015
【図１５】
0003974717.tif 000016
【図１６】
0003974717.tif 000017
【図１７】
0003974717.tif 000018
【図１８】
0003974717.tif 000019